(57)【要約】      （修正有）【課題】地震時及び水害時に避難用に使用できて、軽量で強度のある防災用ドームを提供する。【解決手段】防災用ドーム１は、内部に、地震時及び水害時に、避難者Ｍが一時的に避難する避難用空間１１と、ドーム型に形成された樹脂製のドーム本体２と、ドーム本体２に形成された出入口１２と、を有している。防災用ドーム１は、出入口１２を下側にして配置したときには、シェルターを構成する。ドーム本体２は、外壁部２ａが強化プラスチック２１で形成されて、内壁部２ｂが緩衝材２２で形成されている。ドーム本体２には、一端側をこのドーム本体２に取り付けて、他端側を地面側にして配置されるジャッキ３が設置されている。【選択図】図１
0003144746.tif 000002
【実用新案登録請求の範囲】
【請求項１】
内部に避難用空間（１１）を有する防災用ドーム（１）であって、
ドーム型に形成された樹脂製のドーム本体（２）と、
前記ドーム本体（２）に形成された出入口（１２）と、を有し、
前記出入口（１２）を下側にして配置したときには、シェルターを構成することを特徴とする防災用ドーム。
【請求項２】
前記ドーム本体（２）は、外壁部（２ａ）が強化プラスチック（２１）で形成され、
内壁部（２ｂ）が緩衝材（２２）で形成されていることを特徴とする請求項１に記載の防災用ドーム。
【請求項３】
前記ドーム本体（２）には、一端側を当該ドーム本体（２）に取り付けて、他端側を地面側にして配置されるジャッキ（３）が設置されていることを特徴とする請求項１または請求項２に記載の防災用ドーム。
【請求項４】
前記ドーム本体（２）の外壁部（２ａ）及び内壁部（２ｂ）には、持ち上げ用の把持部（１３，１４）が設けられていることを特徴とする請求項１または請求項２に記載の防災用ドーム。
【請求項５】
前記ドーム本体（２）には、内壁部（２ｂ）から外壁部（２ａ）に貫通した空気口（１５）が設けられていることを特徴とする請求項１に記載の防災用ドーム。
【考案の詳細な説明】
【技術分野】
【０００１】
本考案は、地震、崖崩れ、洪水、津波等の災害時に人命を安全に確保して避難するための防災用ドームに関する。
【背景技術】
【０００２】
近年、阪神・淡路大震災や新潟県中越地震等の大規模の地震が発生し、崩れて来た屋根の下敷きになったり、崖崩れの土砂に埋もれたりして、人命が落されている。その他、地震による津波や、大雨による洪水等の災害で、多くの人命が落されている。今後、地球温暖化等によって、さらに、同規模の大地震や大雨が発生するおそれがあることが指摘されており、災害時に人命を自ら各自で確保するための対策を準備しておくことが不可欠になっている。
【０００３】
このような地震発生時に、倒壊した家屋に押し潰されて圧死したり、あるいは、家屋や瓦礫等の落下物の下敷きとなって窒息死したりして、犠牲になるのを防止するための地震対策用の装置としては、例えば、特許文献１に開示された地震用シェルターが知られている。
【０００４】
特許文献１に記載されているような地震用シェルターは、スチールパイプ製の枠材と、枠材の端部が嵌合されるガイドパイプ部を有する継手と、この継手に取り付けられ耐震強度を付与するための鉄板製の補強板と、枠材を継手へ固定させる固定手段と、を骨組として組み立てた構築体を構成している。その地震用シェルターは、金属製の骨組構造とすることによって、地震時の倒壊する家屋に押し潰されるのを防止する強度を備えると共に、一時的に避難する場所として使用可能にしている。
【特許文献１】特開平８−２１８６７３号公報（特許請求の範囲、図１、図２及び図１５）
【考案の開示】
【考案が解決しようとする課題】
【０００５】
しかしながら、前記特許文献１に記載されたような地震用シェルターでは、組み立て及び分解が可能で、耐震強度を備えているものの、多数の金属製枠材、金属製継手、鉄板製補強板及び固定手段によって構築体を形成しているため、構成部品が多く、構造が複雑で、全体の重量が重いという問題点があった。
【０００６】
特許文献１の地震用シェルターは、各構成部品及びその全体が金属製で重いため、運搬する際や持ち上げる際に、１人では行うことができないという問題点があった。このため、軽量で、一人で持ち上げることができるシェエルターが要望されていた。
【０００７】
また、特許文献１の地震用シェルターは、組み立て及び分解が容易であるものの、部品点数が多くため、コストが高いという問題点があった。このため、さらに、低価格で、誰でも容易に使用できる簡単な構造のものが要望されていた。
【０００８】
さらに、特許文献１の地震用シェルターは、金属製の枠材と保護板から主に構成されているので、強度が優れているものの、洪水等の水害時には、水没してしまうため、水害時に使用できないという問題点があった。このため、地震時にも水害時に避難用ボートとしても使用可能な多機能的な防災用ドームが要望されていた。
【０００９】
そこで、本考案は、前記問題点を解消すべく考案されたものであり、地震時及び水害時に避難用の使用できて、軽量で強度のある防災用ドームを提供することを目的とする。
【課題を解決するための手段】
【００１０】
前記課題を解決するために、請求項１に記載の防災用ドームは、内部に避難用空間を有する防災用ドームであって、ドーム型に形成された樹脂製のドーム本体と、前記ドーム本体に形成された出入口と、を有し、前記出入口を下側にして配置したときには、シェルターを構成することを特徴とする。
【００１１】
請求項１に記載の防災用ドームの考案によれば、防災用ドームは、大きな地震があった際に、防災用ドームを出入口が下になるように配置して、その出入口から避難用空間内に入って避難するシェルターとして使用することが可能である。また、防災用ドームは、ドーム形状で剛性を確保し易く、軽量に形成することができる。このため、防災用ドームは、転がすようにして移動させたり、移設したりすることが容易にできる。さらに、洪水や津波等の水害の際には、出入口を上側にして使用することによって、水に浮くため、簡易型の緊急用ボートとしても使用することが可能である。このように、防災用ドームは、あらゆる災害に対応した緊急避難用のシェルターとして使用できる。
【００１２】
請求項２に記載の防災用ドームは、請求項１に記載の防災用ドームであって、前記ドーム本体は、外壁部が強化プラスチックで形成され、内壁部が緩衝材で形成されていることを特徴とする。
ここで、強化プラスチックとは、例えば、ＦＲＰ（Fiber Reinforced Plastic）樹脂といわれているガラス繊維強化プラスチックである。
【００１３】
請求項２に記載の防災用ドームの考案によれば、防災用ドームは、強化プラスチックで形成されているので、軽くて、熱に強く、強度を備えている。このため、家屋が倒壊して建材が落下してきたり、崖崩れで土砂等が落ちてきたりした場合には、落下物によって避難者（利用者）が押し潰されるのを防護することが可能である。
【００１４】
請求項３に記載の防災用ドームは、請求項１または請求項２に記載の防災用ドームであって、前記ドーム本体には、一端側を当該ドーム本体に取り付けて、他端側を地面側にして配置されるジャッキが設置されていることを特徴とする。
【００１５】
請求項３に記載の防災用ドームの考案によれば、ドーム本体にジャッキが設けられていることにより、ジャッキでドーム本体の下側にある出入口を地面（床面）から上昇させて開口した状態に支持することができる。このため、腕力のない老人や子供であっても、ドーム本体を容易に上昇させることが可能であり、ドーム本体の底部に配置した出入口から防災用ドーム内に出入りできる。
【００１６】
請求項４に記載の防災用ドームは、請求項１または請求項２に記載の防災用ドームであって、前記ドーム本体の外壁部及び内壁部には、持ち上げ用の把持部が設けられていることを特徴とする。
【００１７】
請求項４に記載の防災用ドームの考案によれば、ドーム本体の外周面及び内壁面には、持ち上げ用の把持部が設けられていることにより、ドーム本体を持ち上げて、出入口を上昇させて出入りする際や、手で持って移動させる際に、手で持ち易くなる。このため、防災用ドームは、手で容易に移動でき、運搬性及び移動性がよい。
【００１８】
請求項５に記載の防災用ドームは、請求項１に記載の防災用ドームであって、前記ドーム本体には、内壁部から外壁部に貫通した空気口が設けられていることを特徴とする。
【００１９】
請求項５に記載の防災用ドームの考案によれば、ドーム本体は、内壁部から外壁部に貫通した空気口が設けられていることによって、外気をドーム本体内に取り入れることができる。このため、避難者は、防災用ドーム内に長期間にわたって避難することができる。
【考案の効果】
【００２０】
本考案の請求項１に係る防災用ドームによれば、大地震の際には、出入口を下にした防災用ドームの中の避難用空間に入り込むことによって、避難することができる。また、防災用ドームは、ドーム形状に形成されて軽量で、転がし易い形状をしているため、容易に移動させることができると共に、適宜な場所への移設を容易に行うことができる。さらに、洪水や津波の際には、防災用ドームを水に浮かすことができるため、避難用ボート及び救助用ボートとしても使用できる。このように、防災用ドームは、地震、崖崩れ、土砂災害、洪水、津波等の際に、避難用具、避難小屋、及び人命救助具として種々の用途に使用することができ、便利である。また、防災用ドームは、構造が簡素で、部品点数及び組立工数が少ないので、設置費用もかからず、安価に製造することができる。
【００２１】
本考案の請求項２に係る防災用ドームによれば、防災用ドームは、避難用空間に避難した避難者を倒壊する家屋や、落下して来る建材や、崖崩れで土砂等の落下物から防護して守ることができる。
【００２２】
本考案の請求項３に係る防災用ドームによれば、ドーム本体にジャッキが設けられていることにより、年寄りや、女性の方でも、ジャッキを使用することによって、ドーム本体を容易に上昇させて、出入口から出入りし易い状態にすることができる。このため、防災用ドームは、腕力がない人などあらゆる人に使用可能である。
【００２３】
本考案の請求項４に係る防災用ドームによれば、ドーム本体の外周面及び内壁面には、持ち上げ用の把持部が設けられていることにより、把持部を手で持ってドーム本体を持ち上げて、出入口を上昇させた状態に支持して出入りし易くできると共に、把持部を手で握って持ち運んだりすることができるので、移動性及び運搬性がよい。
【００２４】
本考案の請求項５に係る防災用ドームによれば、ドーム本体に空気口が設けられていることによって、外気をドーム本体内に取り入れて空気の交換を行うことができる。また、空気口から防災用ドームの外部を視認することも可能である。
【考案を実施するための最良の形態】
【００２５】
次に、図１〜図５を参照して、本考案に係る防災用ドームを実施するための最良の形態（以下「実施形態」という）を説明する。
図１は、本考案の実施形態に係る防災用ドームの一使用例を示す概略図である。図２は、本考案の実施形態に係る防災用ドームの一例を示す図であり、ジャッキで防災用ドームの一部を上昇させたときの状態を示す概略斜視図である。図３は、本考案の実施形態に係る防災用ドームの一例を示す図であり、把持部及びジャッキの取り付け状態を示す要部拡大概略正面図である。図４は、本考案の実施形態に係る防災用ドームの一例を示す図であり、ジャッキでドーム本体の一部を上昇させたときの状態を示す要部拡大概略断面図である。
【００２６】
≪防災用ドームの構成≫
図１に示すように、防災用ドーム１は、大地震や崖崩れ等が発生した際に、避難者Ｍが、崩れてきた屋根や建材や土砂や瓦礫等の落下物の下敷きになったり、押し潰されたりするのを防護すると共に、さらに、地震による津波や大雨による洪水等の水害時に、緊急用のボートとしても使用することが可能な災害用の避難器具である。防災用ドーム１は、ドーム型で、大型の略容器形状をしたものからなり、それぞれ後記する避難用空間１１と、出入口１２と、空気口１５と、扉部材１６と、ドーム本体２と、ジャッキ３と、把持部１３，１４（図２参照）と、浮輪４と、ＳＯＳ発信装置５と、アンカー６（図５参照）と、ロープ７と、を備えている。防災用ドーム１は、下面に出入口１２を有し、直径が１２００ｍｍ程度の略球状のドーム型の人員防護体であり、部屋等の屋内に配備することが可能な大きさに形成されている。
なお、本考案に係る防災用ドーム１は、緊急用のボートとして可能であるが、まず、大地震や崖崩れ等災害時にシェルターとして使用する場合を例に挙げて説明する。
【００２７】
防災用ドーム１は、地震発生時（または、予震発生時や、緊急地震速報装置のお知らせがあったとき）に直ぐに避難者Ｍが、防災用ドーム１に入り込むことができるように、家屋内や庭の片隅等の適宜な場所に配置しておく。または、地震発生時やその他の災害時に崖崩れや、土砂崩れや、頭上から落下物が落下する危険性が予想される場所に配置してもよい。さらに、防災用ドーム１は、水に浮くように形成されているため、津波や、洪水時の河川の氾濫が予想される場所に配置してもよい。防災用ドーム１は、全体が略球状でコンパクトに形成されたことによって、地震、崖崩れ、水害等の災害の際に、外圧や強い衝撃に耐えるのに適した形状的な強度を備えた構造になっている。
【００２８】
＜避難用空間の構成＞
図１に示すように、避難用空間１１は、防災用ドーム１の内部空間であって、避難者Ｍが地震発生時及び崖崩れ発生時に、緊急避難場所として使用したり、地震発生後及び崖崩れ発生後の一時的な避難場所として使用したりするためのキャビン状の空間である。避難用空間１１は、ドーム本体２によって形成された略球状の空間からなる。
【００２９】
≪出入口の構成≫
出入口１２は、避難者Ｍが防災用ドーム１内の避難用空間１１に出入りするための出入り口である。出入口１２は、例えば、ドーム本体２の一箇所に円形に形成されている。防災用ドーム１をシェルターとして使用する場合は、出入口１２を下にして、出入口１２の縁を地面（または床面）に付けるように配置して使用する。このように、防災用ドーム１は、出入口１２をドーム本体２の下側にして配置することにより、出入口１２の縁によって、安定した状態に地面上に置くことができるようになっている。
【００３０】
≪空気口の構成≫
空気口１５は、防災用ドーム１外の外気を避難用空間１１内に流入させるための空気取入口用の窓であり、後記するドーム本体２の内壁部２ｂから外壁部２ａに貫通して設けられている。空気口１５は、例えば、ドーム本体２の側面部位に形成されて、空気口１５の外側に、この空気口１５を開閉するための扉部材１６を備えている。
【００３１】
≪扉部材の構成≫
前記扉部材１６は、空気口１５を密閉した状態に閉めることが可能な開閉体であり、開閉板部材１６ａと、取手１６ｂと、から構成されている。開閉板部材１６ａは、例えば、空気口１５をドーム本体２の外側から外壁面に沿って摺動して、空気口１５を開閉する板部材からなる。取手１６ｂは、開閉板部材１６ａを移動させる際に手で持つための摘みであり、開閉板部材１６ａの端部から避難用空間１１側に向けて突出して設置されている。このため、扉部材１６は、避難用空間１１内から操作して開閉できるようになっている。
【００３２】
≪ドーム本体の構成≫
ドーム本体２は、防災用ドーム１の本体主要部を形成する部材であり、合成樹脂によってドーム型に形成されている。ドーム本体２は、外周面を形成する外壁部２ａが、強化プラスチック２１によって形成され、内周面を形成する内壁部２ｂが、緩衝材２２によって形成されている。
【００３３】
強化プラスチック２１は、いわゆるＦＲＰ樹脂であり、ガラス繊維等の繊維をプラスチックの中に入れて強度を向上させた複合材料である。強化プラスチック２１は、金属材料よりも比強度が強く、軽量で、耐熱性及び耐食性に優れた素材である。この強化プラスチック２１で形成されたドーム本体２は、衝撃に対して強く、折れ難い、壊れ難い、変形し難い構造の防災用ドーム１にすることが可能となる。
【００３４】
緩衝材２２は、ドーム本体２の外壁部２ａを形成する強化プラスチック２１の内面全体に固着される内装部材であり、例えば、軟質で、クッション性及び断熱性に優れた発泡スチロールやウレタンや樹脂製段ボール等からなる。緩衝材２２は、例えば、厚さが約５０ｍｍの球面状に形成された厚板部材からなり、避難者Ｍが衝突しても、そのときの衝撃を吸収できるようになっている。また、緩衝材２２は、断熱材としての機能も果たすため、冬季や寒冷地において、避難者Ｍを寒さから守り、屋外で使用することも可能であり、また、雪崩用の避難具としても、使用可能となっている。
【００３５】
≪ジャッキの構成≫
ジャッキ３は、ドーム本体２を傾けるように上昇させて、ドーム本体２の下端部に配置された出入口１２から避難者Ｍが出入りできるようにするための昇降装置であり、例えば、エアジャッキからなる。ジャッキ３は、それぞれ後記するシリンダ３１と、ピストン３２と、吸気弁３３と、ホース３４と、エア吸排気弁３５と、排気用蓋体３６と、保持具３７と、から構成されている。ジャッキ３は、図２及び図３に示すように、ドーム本体２の外壁部２ａの側面に適宜な間隔を介して設置された一対のものからなる。ジャッキ３は、一端側がドーム本体２に取り付けられて、他端側が地面側にして配置されている。つまり、ジャッキ３は、一端側のシリンダ３１がドーム本体２に固定されて、他端側のピストン３２が地面上に載置される。
【００３６】
図４に示すように、シリンダ３１は、ピストン３２が進退するシリンダ室（第１シリンダ室３１ａ及び第２シリンダ室３１ｂ）を形成する中空状の円柱ケース体である。シリンダ３１は、保持具３７によってドーム本体２の外壁部２ａの側面に固定される。シリンダ３１には、上端部にホース３４が設置され、下端部にエア吸排気弁３５及びピストンロッド３２ａが設置され、側面に吸気口３１ｃ及び保持具３７が設置されている。
【００３７】
第１シリンダ室３１ａは、ピストン３２に対してシリンダ３１を上昇した際に、吸気口３１ｃから外気が入り込んで、ドーム本体２が上昇して出入口１２が開放された状態に維持したり、避難者Ｍがドーム本体２を持ち上げるときに、防災用ドーム１の重さ以下の所定の力で上昇するように押し上げたりするための空圧室である。第１シリンダ室３１ａには、吸気口３１ｃと、吸気弁３３と、ホース３４の開口端とが設けられている。
【００３８】
第２シリンダ室３１ｂは、ピストン３２に対してシリンダ３１が下降した際に、エア吸排気弁３５を介して空気をその中に取り込み、シリンダ３１が上昇した際に、エア吸排気弁３５を介して空気が大気中に排出される空気室である。
吸気口３１ｃは、外気を第１シリンダ室３１ａ内に取り入れるための開口であり、第１シリンダ室３１ａの上部に連通するように穿設されている。
【００３９】
ピストン３２は、シリンダ３１が上昇・下降することによってシリンダ３１内に外気を吸排気させるための部材であり、ピストンロッド３２ａを介して、下端部が踏板３２ｂに対して回動自在に連結されている。踏板３２ｂは、地面上に載置される支持部材であり、例えば、鋼板等の平板部材からなる。踏板３２ｂには、２つのジャッキ３のピストンロッド３２ａが連結されている。この踏板３２ｂは、避難者Ｍがジャッキ３を使用する際に、ドーム本体２と共にシリンダ３１を上昇させたときに、ピストン３２がシリンダ３１に引きつられて上昇するのを抑制するために、足で踏んで押える板材である。
【００４０】
吸気弁３３は、前記吸気口３１ｃから大気中の空気が第１シリンダ室３１ａ内に入り込むのを許可し、その第１シリンダ室３１ａ内から大気中へ圧縮空気が流れるのを抑制する逆止弁である。吸気弁３３は、例えば、第１シリンダ室３１ａの内壁に穿設された吸気口３１ｃを内側から閉塞するように設置されている。
【００４１】
ホース３４は、第１シリンダ室３１ａ内で生成した圧縮空気を第１シリンダ室３１ａから排気用蓋体３６が配置された部位までに送るための配管であり、例えば、適宜な長さの合成樹脂製のものからなる。ホース３４は、一端が第１シリンダ室３１ａの上端部に接続され、他端がドーム本体２の内壁部２ｂに配置された排気用蓋体３６によって開閉できるように設置されている。つまり、ホース３４の先端部は、大気中に連通して配置され、第１シリンダ室３１ａ内の圧縮空気を排出する排気口を形成している。
【００４２】
図４に示すように、排気用蓋体３６は、手動で第１シリンダ室３１ａ内の圧縮空気を大気中に排出させて、ジャッキ３のシリンダ３１を下降状態にするための開閉弁である。換言すると、排気用蓋体３６は、例えば、ホース３４の開口端を手動的に開弁することが可能な開閉弁である。排気用蓋体３６は、例えば、手動的に開弁させる操作部と弁体との機能を兼備した排気操作部３６ａと、この排気操作部３６ａの基端部に設けられた蝶番（図示省略）と、排気操作部３６ａを閉弁する側に自動復帰させるための戻しばね（図示省略）と、を備えて構成されている。
【００４３】
排気操作部３６ａは、排気用蓋体３６を開放させて第１シリンダ室３１ａ内の圧縮空気を大気中へ排出させて、ジャッキ３を下降させる遠隔操作をするための操作部材である。この排気操作部３６ａは、ドーム本体２内に設置されて、防災用ドーム１内に入り込んだ避難者Ｍが避難用空間１１内から遠隔操作して、ジャッキ３を下降させることができるようになっている。
【００４４】
図４に示すように、エア吸排気弁３５は、ピストン３２が作動した際に、第２シリンダ室３１ｂ内の空気を吸気及び排気する弁である。エア吸排気弁３５は、シリンダ３１のケース体の底面部に設置されている。
なお、このエア吸排気弁３５は、なくても構わない。この場合は、ピストンロッド３２ａが挿入されたシリンダ３１の挿通孔を、第２シリンダ室３１ｂ内の空気が出入りするエア吸排気弁３５またはエア吸排気口とすればよい。
【００４５】
保持具３７は、略円柱形状のシリンダ３１を略球面状のドーム本体２に安定した状態に固定するためのホルダー部材であり、シリンダ３１とドーム本体２との間に介在される。保持具３７は、一端部がシリンダ３１の外周面に固定され、他端部がドーム本体２の外壁部２ａに固定されている。
【００４６】
≪把持部の構成≫
図４に示すように、把持部１３，１４は、避難者Ｍがドーム本体２を手で持ち上げて出入口１２から防災用ドーム１内に出入りできるように傾けるときや、防災用ドーム１を移動させるときに、手で握るための部分である。把持部１３，１４は、例えば、ドーム本体２の外壁部２ａ及び内壁部２ｂの膝の高さ程度に位置に設置された平面視して略コ字状の部材からなる。把持部１３は、避難者Ｍが防災用ドーム１内に入る場合に使用される。把持部１４は、避難者Ｍが防災用ドーム１内から外に出る場合に使用される。
【００４７】
≪浮輪の構成≫
浮輪４は、防災用ドーム１内で避難者Ｍが腰を掛けたり、クッションとして使用したりすることが可能なものであり、例えば、空気を入れて密閉したドーナツ型の容器からなる。浮輪４は、例えば、外径が出入口１２の大きさより大きく形成されたビニール製のものからなる。
【００４８】
≪ＳＯＳ発信装置の構成≫
ＳＯＳ発信装置５は、災害時に防災用ドーム１内に一時的に緊急避難した避難者Ｍが、外部に対して救助の要請を知らせるための発信装置である。ＳＯＳ発信装置５は、内壁部２ｂに設置されている。
【００４９】
≪防災用ドームの作用≫
次に、図１〜図４を参照して本考案の実施形態に係る防災用ドーム１の作用を使用手順と共に説明する。
【００５０】
大きな予震が発生したときや、緊急地震速報装置のお知らせがあったときには、大地震が発生するまでに１０秒〜数十秒程度の時間がある。大きな地震の予震やお知らせがあった場合には、図１に示すジャッキ３の踏板３２ｂを足で踏んで押さえながら、ドーム本体２の外壁部２ａにある把持部１３を手で握って、出入口１２から避難者Ｍが避難用空間１１内に入り込める高さまで、ドーム本体２を傾倒させるように持ち上げて、出入口１２から避難用空間１１に入り込んで避難する。
【００５１】
避難者Ｍが防災用ドーム１を持ち上げた際には、踏板３２ｂを足で踏んだことにより、一対のジャッキ３のシリンダ３１が防災用ドーム１と共に上昇する。このとき、吸気弁３３がピストン３２の吸引力によって開弁し、吸気口３１ｃから第１シリンダ室３１ａ内に大気が入り込んで、防災用ドームに固定したシリンダ３１が上昇する方向へ付勢して避難者Ｍが防災用ドーム１を持ち上げるのを補助する。このため、腕力のない非力な女性や老人等であっても、容易に防災用ドーム１を持ち上げることができる。
【００５２】
このように、防災用ドーム１の外壁部２ａにジャッキ３が取り付けられていることによって、防災用ドーム１を持ち上げるときに、ジャッキ３が自動的に連動する。このため、腕力がない者であっても、ドーム本体２を自力で上昇させることが可能となり、ドーム本体２の底面に伏せた状態の出入口１２を、図２及び図４に示すように、出入口１２から避難者Ｍが出入りできる状態に開放させて、防災用ドーム１内に避難することができる。
【００５３】
ジャッキ３は、モータ等の動力源や、電源等を不使用であるため、防災用ドーム１をあらゆる場所に適宜に設営しても、常に使用することが可能である。また、ジャッキ３は、防災用ドーム１を持ち上げると、自動的に作動するので、特別な操作が不要なため、非力な者であっても、また、取り扱いが不慣れな者であっても、防災用ドーム１をスピーディに上昇させて防災用ドーム１内に避難できるように補助する働きをする。
【００５４】
このようにして、防災用ドーム１内に入った避難者Ｍは、防災用ドーム１内にある排気用蓋体の排気操作部３６ａを引っ張り操作すると、排気用蓋体３６が開弁して第１シリンダ室３１ａの圧縮空気が大気中に排出されて、シリンダ３１及びドーム本体２をゆっくりと下降させることができる。防災用ドーム１内に入室後は、前記同様、図１に示すようにして、防災用ドーム１をシェルターとして避難すればよい。避難者Ｍが防災用ドーム１内に潜り入り込んだら、図１に示すように、浮輪４に腰を掛けて待機する。
【００５５】
このようにすることによって、大地震で家屋が倒壊して建材等が防災用ドーム１上に落下しても、また、崖崩れで土砂や瓦礫等が防災用ドーム１上に落下しても、ドーム本体２が強度を有するので、防災用ドーム１内の避難者Ｍが下敷きになって押し潰されるのを防護することができる。
【００５６】
地震が静まって、防災用ドーム１内から脱出する場合は、防災用ドーム１内にある把持部１４を手で握ってドーム本体２を傾けるように持ち上げて、出入口１２から潜り出ることによって、防災用ドーム１外に出ることができる。また、地震が続くようであれば、防災用ドーム１内にしばらくの間避難していれば安全である。
【００５７】
なお、防災用ドーム１は、喩え、土砂等によって押されて移動したり、転倒したりしたとしても、内壁部２ｂ全体が緩衝材２２で形成されているので、避難者Ｍが避難用空間１１内で内壁面に衝突しても、衝撃が吸収されるため、ケガをすることがない。
【００５８】
家屋の倒壊や崖崩れ等により、防災用ドーム１の上に家屋の建材や土砂等の落下物があって、防災用ドーム１内から出ることができない生き埋めの状態の場合には、ＳＯＳ発信装置５を操作して救助信号を発信し、助けを呼ぶことによって、早期に救助されることが可能となる。このようにして、避難者Ｍは、大地震時に自分自身の身体を防災用ドーム１によって守ることが可能となると共に、シェルターとしても利用することができる。
また、防災用ドーム１は、全体が合成樹脂製で軽量であるため、容易に移動させたり、移設させたりすることも可能である。
【００５９】
≪変形例≫
なお、本考案は、前記実施形態に限定されるものではなく、その技術的思想の範囲内で種々の改造及び変更が可能であり、本考案はこれら改造及び変更された考案にも及ぶことは勿論である。
【００６０】
図５は、本考案の実施形態に係る防災用ドームの変形例を示す図であり、防災用ドームをボートとして使用しているときの状態を示す概略図である。
前記実施形態では、図１〜４に示すように、出入口１２を下側にして使用する場合を説明したが、図５に示すように、防災用ドーム１は、津波や河川の氾濫や大雨や洪水等の水害時に、避難用ボートとしても使用可能である。
【００６１】
この場合、防災用ドーム１内には、水害時のために、アンカー（イカリ）６、ロープ７及び重心用錘８を常時、配備しておく。
アンカー６は、防災用ドーム１が水の流れによって流されるのを防止して、防災用ドーム１を水上に止めておくための錨である。ロープ７は、アンカー６と防災用ドーム１とを繋ぐためのものであり、基端部が把持部１４に縛り付けられ、先端部がアンカー６に連結されている。なお、防災用ドーム１をボートとして使用する場合には、重心用錘８を防災用ドーム１の内底の中央部に配置して、水上の防災用ドーム１を安定化させることができる。なお、防災用ドーム１は、重心用錘８がなくても安定性があり、重心用錘８はなくても構わない。
【００６２】
次に、防災用ドーム１をボートとして使用する場合について説明する。
特に、海岸に近いゼロメートル地帯では、大雨や津波等の水害時に、家屋等が浸水した場合等に、避難用ボートとして防災用ドーム１を使用する。この場合、防災用ドーム１の出入口１２を上側にして転がし、水面へ移動させる。そして、出入口１２から防災用ドーム１内に入り込み、一端を把持部１４に固定したロープ７の他端に設けたアンカー６を水底等に固定させて、防災用ドーム１が流されるのを防止するようにする。
【００６３】
なお、防災用ドーム１内の浮輪４は、水面に浮くので避難用浮輪としても使用可能である。このように、防災用ドーム１は、軽量であらゆる災害に耐えることができる強度及び形状を有するため、あらゆる災害時の人命救助や避難用シェルターとして使用することが可能である。また、防災用ドーム１内に、防災用ドーム１をボートとして使用する際に水をかいて進めることができる櫂を配備しておいてもよい。
【００６４】
≪その他の変形例≫
例えば、前記実施形態では、図５に示すように、略球形のドーム本体２を例に挙げて説明したが、防災用ドーム１をボートとして使用する場合、水上での安定性を向上させるために、底面部をさらに平らな形状にしたものであっても構わない。
【００６５】
また、防災用ドーム１は、家族の人数等に合わせて、家族全員が防災用ドーム１内に入ることが可能な適宜な大きさのものにしてもよい。例えば、防災用ドーム１は、左右の幅を長くして、平面視して長円形あるいは楕円形にしてもよい。
さらにまた、防災用ドーム１は、外形が略球状のものに限定されるものではなく、例えば、半球状やお椀型のものであってもよい。
なお、防災用ドーム１は、ドーム本体２に補強用フレーム等の骨格部材を内設してさらに強度を向上させてもよい。
【００６６】
また、前記ジャッキ３は、例えば、自動車のバックドアに設置されるダンパや、市販の足踏み式エアポンプや、手動式の空気入れ等のエア供給源を備えたものであっても構わない。このようなダンパやエア供給源を有するジャッキを設置した場合であっても、防災用ドーム１を容易に持ち上げて、その状態を一時的に維持することが可能である。
その他、防災用ドーム１には、懐中電灯、ラジオ、飲食物、医療品等の防災用品を配置しておいてもよい。
【図面の簡単な説明】
【００６７】
【図１】本考案の実施形態に係る防災用ドームの一使用例を示す概略図である。
【図２】本考案の実施形態に係る防災用ドームの一例を示す図であり、ジャッキで防災用ドームの一部を上昇させたときの状態を示す概略斜視図である。
【図３】本考案の実施形態に係る防災用ドームの一例を示す図であり、把持部及びジャッキの取り付け状態を示す要部拡大概略正面図である。
【図４】本考案の実施形態に係る防災用ドームの一例を示す図であり、ジャッキでドーム本体の一部を上昇させたときの状態を示す要部拡大概略断面図である。
【図５】本考案の実施形態に係る防災用ドームの変形例を示す図であり、防災用ドームをボートとして使用しているときの状態を示す概略図である。
【符号の説明】
【００６８】
１      防災用ドーム
２      ドーム本体
２ａ    外壁部
２ｂ    内壁部
３      ジャッキ
１１    避難用空間
１２    出入口
１３，１４  把持部
１５    空気口
２１    強化プラスチック
２２    緩衝材
【図１】
0003144746.tif 000003
【図２】
0003144746.tif 000004
【図３】
0003144746.tif 000005
【図４】
0003144746.tif 000006
【図５】
0003144746.tif 000007